(57)【要約】【課題】扉が閉鎖位置にあるとき扉の下部と床面の間隙を塞ぐようシール部材を降下させるドアボトムの気密装置において、シール部材の昇降のタイミングや床面との間の下チリの調整が容易なドアボトムの気密装置を提供する。【解決手段】下面にシール部材１１を有する昇降体１２に、板ばね１３の中間部を連結し、この板ばねの両端に、扉１の見付方向に移動可能な吊元側スライダー８と戸先側スライダー９を固定する。ケースの吊元側には、中心から周面までの半径が最大から最小に変化する制御カム２３を有するカム軸１５があり、吊元側スライダー８の先端が当接する。扉を開閉する際、吊元側スライダー８は制御カム２３により見付方向に移動し、昇降体が上下動する。戸先側スライダー９の位置は、扉の戸先側小口から見付方向に移動させることができ、昇降体の上下の設定位置を調整して下チリの調整ができる。【選択図】図１
2018178440.tif 000002
【特許請求の範囲】
【請求項１】
扉の下部に見付方向に設けられるケースと、ケース内に上下動可能に設けられ下面にシール部材を有する昇降体と、中間部が昇降体に連結され両端が扉の吊元方向および戸先方向に延びる板ばねと、板ばねの端部に連結し見付方向に移動可能なスライダーを具備するドアボトムの気密装置において、上記ケース内には、床に設けたフロアヒンジに回動不能に連結可能で扉の枢軸となるカム軸と、カム軸の周面に形成され中心からの半径が最大半径から最小半径まで円周方向に変化する制御カムと、上記板ばねの両端に連結され見付方向に移動可能な戸先側スライダー及び吊元側スライダーと、上記戸先側スライダーと扉の戸先側小口の間の間隔を調節しシール部材の下面と床面間の下チリを調整する長さ調整機構が設けられ、上記吊元側スライダーの先端は上記カム軸の制御カムに当接しており、上記長さ調節機構は戸先側から操作可能に設けられていることを特徴とするドアボトムの気密装置。
【請求項２】
上記長さ調整機構は、回転可能な調整ナットと、戸先側スライダーに連結され上記調整ナットにねじ係合する雄ねじを有する調整ロッドを具備し、上記調整ナットの外端は、扉の戸先側の小口に設けたストップ板に回転可能に当接し、該ストップ板には調整孔が設けられている請求項１に記載のドアボトムの気密装置。
【請求項３】
上記請求項１または２に記載のドアボトムの気密装置を備えた扉。
【発明の詳細な説明】
【技術分野】
【０００１】
本発明は、扉を閉鎖した際、扉の下部と床面の間の間隙を密封して室内を気密にするようにしたドアボトムの気密装置に関するものである。
【背景技術】
【０００２】
扉を閉鎖した際、扉の下部と床面の間に存在する間隙を塞いで防音状態にする気密装置が知られている(例えば特許文献１参照)。このような装置は、扉のボトムに幅方向に沿ってシール部材を配置し、このシール部材を昇降可能に設け、扉が閉鎖位置にあるときシール部材を降下させて床面との間の間隙を密封し、扉を開放するとき上昇させて床面との間に間隙を形成するものである。特許文献１に記載の装置は、扉の下端部に取り付けた本体フレーム内に上下動可能に可動プレートを装着し、その中央部分にスプリングの中間部を連結し、該スプリングの一端を本体フレームに固定し、他端を扉の見付方向に移動可能なプッシュロッドに連結し、該プッシュロッドの先端に調整ナットをねじ込み、その先端を扉の吊元側の小口から突出させている。扉を閉鎖するとき、扉の小口から突出している調整ナットの先端がドア枠(縦枠)に当たると、調整ナット及びプッシュロッドが押し込まれ、該プッシュロッドに連結したスプリングを介して可動プレートが降下し、可動プレートの下面に設けたシール部材が床面に密着する。扉を開放するとき、調整ナットの先端がドア枠から離れると、調整ナット及びプッシュロッドはスプリングの弾性作用で押し出され、それに伴って可動プレートは引き上げられ、シール部材が床面から上昇する。
【０００３】
上記のように、従来のものは、扉の吊元側の小口の下部から調整ナットの先端を突出させ、該調整ナットをドア枠に当接させてシール部材を昇降させる構成であるから、調整ナットを回転してプッシュロッドへのねじ込み量を変えると、調整ナットが小口から突出する量を変化させることができる。この構成により、可動プレートの露出調整、すなわちシール部材が本体フレームから出没する移動量が変わり、タイミングの調整やシール部材と床面間の下チリ調整を行うことができる。しかし、この調整作業は、扉をドア枠に吊り込んだ後で、現場で扉を開閉しながら、調整ナットがドア枠に当たるタイミングやシール部材の昇降のタイミング、シール部材の下面と床面間の下チリの調整等を行う必要がある。また、調整ナットの先端が、扉の吊元側の小口の下端近くに突出しているので、吊元側の狭い場所で調整ナットを微回転させて行わなければならない。さらに、調整作業の際に扉を回動させるためには、吊元側で作業している作業者が、吊元側から扉を押し引きして回動させるには、大きな力を必要とし、狭い場所での怪我に注意しながらの微妙な調整は非常に時間がかかる作業であった。また、上述のように、従来のものは、ドア枠と、ドア枠に吊り込んだ扉との間でタイミング等の調整を行わなければならないので、実際に扉を吊り込まなければ調整作業をすることができないし、ドア枠に調整ナットを当接させる構成であるから、ドア枠が損傷したり、調整ナットに横荷重や曲げ荷重が作用して調整ナットが変形し、故障の原因になることがあった。
【先行技術文献】
【特許文献】
【０００４】
【特許文献１】実開昭５５−１３７２９号公報(実用新案登録請求の範囲、図面)
【発明の概要】
【発明が解決しようとする課題】
【０００５】
本発明は、上記のように、扉を閉鎖するとき、シール部材を降下させて床面との間の間隙を密封するようにしたドアボトムの気密装置において、扉を実際にドア枠に吊り込まなくても、また吊り込んだ後でも、シール部材の昇降のタイミングやシール部材の下面と床面との間の下チリの調整が簡単にできるようにしたドアボトムの気密装置を提供することである。
【課題を解決するための手段】
【０００６】
本発明によれば、扉の下部に見付方向に設けられるケースと、ケース内に上下動可能に設けられ下面にシール部材を有する昇降体と、中間部が昇降体に連結され両端が扉の吊元方向および戸先方向に延びる板ばねと、板ばねの端部に連結し見付方向に移動可能なスライダーを具備するドアボトムの気密装置において、上記ケース内には、床に設けたフロアヒンジに回動不能に連結可能で扉の枢軸となるカム軸と、カム軸の周面に形成され中心からの半径が最大半径から最小半径まで円周方向に変化する制御カムと、上記板ばねの両端に連結され見付方向に移動可能な戸先側スライダー及び吊元側スライダーと、上記戸先側スライダーと扉の戸先側小口の間の間隔を調節しシール部材の下面と床面間の下チリを調整する長さ調整機構が設けられ、上記吊元側スライダーの先端は上記カム軸の制御カムに当接しており、上記長さ調節機構は戸先側から操作可能に設けられていることを特徴とするドアボトムの気密装置が提供される。
【０００７】
本発明によれば、上記ケースの吊元側にはカム軸を軸支する上部軸受と下部軸受が設けられており、該カム軸の下端にはフロアヒンジに連結可能な接続軸が設けられている上記ドアボトムの気密装置が提供される。
【０００８】
また、本発明によれば、上記長さ調整機構は、戸先側から回転される調整ナットと、戸先側スライダーに連結され上記調整ナットにねじ係合する雄ねじを有する調整ロッドを具備する上記ドアボトムの気密装置が提供される。上記調整ナットの外端は、扉の戸先側の小口に設けたストップ板に当接し、内端にはケースに周り止めされたロック片が当接し、該ロック片は調整ナットに係脱可能な係合部を有し、上記戸先側スライダーとロック片の間には調整ナットを戸先方向に付勢するよう圧縮ばねが設けられているドアボトムの気密装置が提供される。
【発明の効果】
【０００９】
本発明は上記のように構成され、扉を吊り込むとき、カム軸の下端はフロアヒンジに連結され、回転しないから、扉を建物の開口部に吊り込むと、扉の吊元側は、カム軸を枢軸として回動する。そして、カム軸に当接する吊元側スライダーの先端が、扉の回動中に、カム軸に設けた制御カムのどの周面に接しているかにより吊元側スライダーの位置が変化する。扉が開放されているとき、吊元側スライダーの先端が制御カムの最小半径の周面に接するように構成すると、吊元側スライダーは板ばねの弾性作用により押し出されて外方に移動するから、板ばねを介して昇降体は引き上げられ、扉の下部と床面の間には間隙が形成されて扉の回動に支障を与えることがない。扉が閉鎖位置にあるとき、吊元側スライダーの先端が制御カムの最大半径の周面に接するように構成すると、吊元側スライダーは制御カムの周面により押し込まれて内方に移動し、板ばねを介して昇降体を押し下げ、シール部材の下面を床面に接することができる。上記板ばねの他端は、見付方向に移動可能な戸先側スライダーに連結しているから、戸先側スライダーの位置を変えると、昇降体に設けたシール部材の下面と床面間の下チリを調整することができる。この戸先側スライダーと戸先側小口の間隔を調整する長さ調整機構は、戸先側から調整できるようにしてあるので、戸先側スライダーを戸先小口側に引き寄せたり、戸先側小口から引き離すことにより板ばねの中間部を連結した昇降体の上下の位置が変化し、昇降体に取り付けたシール部材がケース下部から突出する量を扉の戸先側から調整することができ、従来のものに比べて調整が簡単かつ安全である。
【００１０】
また、ケース内に設けたカム軸を枢軸として扉が回動するようにしたから、実際に扉をドア枠に吊り込まなくても、カム軸の制御カムと吊元側スライダーの関係や戸先側スライダーの位置の調整を行うことによりシール部材の突出のタイミングや突出量を調整すことができ、調整や取り扱いが簡単である。
【図面の簡単な説明】
【００１１】
【図１】本発明の一実施例を示し、シール部材が上昇しているときの扉を正面から見た説明図。
【図２】シール部材が降下しているときの扉を正面から見た説明図。
【図３】シール部材が上昇しているときの断面を拡大して示す説明図。
【図４】シール部材が降下しているときの断面を拡大して示す説明図。
【図５】分解斜視図。
【図６】カム軸側の説明図。
【図７】カム軸と吊元側スライダーの関係を示し、カム軸の最小半径部に吊元側スライダーが対応している状態の説明図。
【図８】長さ調整機構の一実施例を示す説明図。
【図９】長さ調整機構の他の実施例を示す説明図。
【図１０】ロック片を示し、（Ａ）は正面図、（Ｂ）は側面図。
【発明を実施するための形態】
【００１２】
本発明において、扉１は、上部ピボットヒンジ(図示略)と下部フロアヒンジ２を有するピボットヒンジにより吊り込まれ、下部フロアヒンジ２を中心として開閉自在に回動し、下部には、図１に示すように、扉１の吊元側３から戸先側４まで延びるドアボトム５が組み込まれている。ドアボトム５のケース６は、上面に扉の取付部を有する長尺の断面略矩形状体に形成され、上部には、上面に対して平行に水平ガイド７が設けられ、該水平ガイドには扉の見付方向に沿って摺動可能に吊元側スライダー８及び戸先側スライダー９が嵌着する。また、上記水平ガイド７の下方には、扉の上下方向に延びる垂直ガイド１０が設けられ、該垂直ガイド１０には、下面にシール部材１１を有する昇降体１２が上下動可能に摺動自在に嵌着されている。
【００１３】
上記昇降体１２の上面には、該昇降体を引き上げるよう板ばね１３が連結されている。図１に示す実施例では、昇降体１２の上面に溝を形成し、該溝に板ばね１３の中間部を挿入し、該板ばねの中間部のズレを吸収できるよう連結ピン１４で連結してある。板ばね１３は、上記中間部が凹部となるように湾曲状態に塑性加工され、両端が上記水平ガイド７に嵌着した上記スライダー８、９に固定されている。スライダー８、９は板ばねの弾性作用でそれぞれ外方に移動され、この構成により上記昇降体１２を引き上げている。板ばね１３の吊元側の端部には上記吊元側スライダー８が固定され、戸先側の端部には上記戸先側スライダー９が固定され、各スライダー８、９は上述のように、上記水平ガイド７に沿って見付方向に摺動可能である。なお、上記吊元側スライダー８の先端には、後記するカム軸１５と円滑に接触するよう滑動性のある適宜の接触子１６を設けておくことが好ましい。接触子として、適宜のローラーを用いることもできる（図示略）。
【００１４】
上記ケース６の吊元側３には、上部軸受１７を有する上部軸受ホルダー１８と、下部軸受１９を有する下部軸受ホルダー２０が設けられ、上下の軸受１７、１９にはカム軸１５の上下に形成した軸部が相対的に回転可能に軸支されている。各軸受１７、１９はそれぞれ軸受ホルダー１８、２０内側に位置するよう平板部２１、２２を有し、該平板部２１、２２が軸受ホルダー１８、２０とカム軸の上下端面間に挟着され、扉１の荷重を平板部で支持した状態で、扉１を、上記カム軸１５を枢軸として回動可能に吊り込むことができる。
【００１５】
上記カム軸１５の周面には、中心からの半径が最大半径から最小半径まで円周方向に連続的に変化する制御カム２３が設けられており、該制御カム２３に上記吊元側スライダー８の先端若しくは該先端に設けた接触子１６が摺動可能に当接する。なお、この制御カム２３の上下の幅は、上記吊元側スライダー８の先端若しくは該先端に設けた接触子１６の幅よりも大きく形成してある。制御カム２３のカム面は、扉１が閉鎖するとき、吊元側スライダー８を戸先側４に移動させるよう最大半径部に吊元側スライダー８の先端が対応し、扉１が開放されるときは、板ばね１３の弾性作用で吊元側スライダー８を吊元側３に移動させるよう最小半径部に吊元側スライダー８の先端が対応するようにしてある。なお、この間のカム面は、実施例では、図７に示すようにゆるやかな曲線状に形成してあるが、このカム面の変化は適宜に形成することができる。例えば、扉が閉鎖する直前に、急激に吊元側スライダーを押し込み、開放するとき、直ちに吊元側スライダーが外方に突出して昇降体を直ぐに引き上げるように曲線形状を適宜変化させてもよい。
【００１６】
上記カム軸１５の下端には、フロアヒンジ２と回転不能に連結するための接続軸２４が形成されている。図５に示す実施例では、接続軸２４を断面略Ｄ字状に形成し、フロアヒンジ２の受孔２５を上記接続軸２４が嵌合するように略Ｄ字状に開口させてあるが、断面六角形その他の多角形、楕円形等にすることもでき、フロアヒンジ２側に軸を形成しカム軸１５側に受孔を設けたり、ねじ止めしたり、その他適宜の方法で回動不能状態に接続することができる（図示略）。
【００１７】
ケース６の戸先側４には、戸先側スライダー９と戸先側小口２６間の間隔を調整する長さ調整機構２７が設けられている。図１に示す実施例では、扉１の戸先側小口２６に、ケース６の開口端を塞ぐようストップ板２８を固定し、該ストップ板２８に対向する水平ガイド７部分には調整ナット２９を回転可能に挿入し、該調整ナットの先端をストップ板２８の内面に回動可能に当接している。上記戸先側スライダー９の先端には、調整ロッド３０が連結され、該調整ロッド３０の先端には上記調整ナット２９の雌ねじ３１にねじ係合する雄ねじ３２が形成されている。上記調整ナット２９の内方端には、水平ガイド７に回動不能にかつ見付方向に移動可能にロック片３３が当接しており、該ロック片３３は圧縮ばね３４により調整ナット２９を扉の戸先側小口２６方向に付勢している。該ロック片３３と調整ナット２９の当接面には、調整ナット２９を回動した際、ロック片３３が係合、離脱するよう係合部を設けてあり、図１０に示す実施例ではロック片に略円弧状の突起３５を設け、調整ナット側に凹部３６を設けてあるが、係合・離脱機構としては波型その他適宜の凹凸形状とすることができる。上記ロック片３３を付勢する圧縮ばね３４は、調整ロッド３０にピン３７を設けて移動止めした座金３８とロック片３３の間に介装してあるが、調整ロッド３０が短い場合は、座金を用いずに、戸先側スライダー９とロック片３３の間に設けてもよい。
【００１８】
上記調整ナット２９の先端には、＋、−等の係止溝、六角孔その他の適宜の係止部３９を設けた調整片４０が固定されている。上記ストップ板２８には、段部４１を設けて戸先方向に開口する調整孔４２を設けてあり、上記調整ナット２９は、該調整片４０が上記調整孔４２の段部４１に当接する位置まで調整孔４２に挿入され、該調整孔４２の外方からドライバー、六角レンチ等の適宜の工具（図示略）を係止部３９に係合して調整片４０を介して調整ナット２９を回動させることができる。調整ナット２９を回動させると、戸先側スライダー９に連結した調整ロッド３０は回動しないから、戸先側スライダー９は見付方向に移動する。この操作により、戸先側スライダー９を戸先側４に移動させることにより上記板ばね１３を戸先側に引き寄せたり、また該戸先側スライダー９を吊元側３に移動させることにより板ばね１３を吊元側３に押し込んだりすることができる。
【００１９】
上記構成により扉１の閉鎖状態では、吊元側スライダー８の先端の接触子１６が、制御カム２３の最大半径部に圧接し、吊元側スライダー８はケース内方向に押し込まれ、板ばね１３は押し下げられ、該板ばね１３の中間部に連結されている昇降体１２が降下し、シール部材１１は床面４３に接して扉下部と床面間の間隙を遮断し、気密にすることができる。
【００２０】
扉１を開きはじめると、カム軸１５は固定されているから、扉はカム軸１５を枢軸として回動しはじめ、接触子１６は制御カム２３の最大半径部分から半径の小さい部分に対応しながら回動し、吊元側スライダー８は板ばね１３の弾性作用により付勢されてカム軸１５の制御カム２３のカム面に追従して次第に押し出され、板ばね１３の一端が扉１の吊元側３に移動することにより、板ばね１３の中間部が次第に引き上げられ、昇降体１２が上昇し、それによりシール部材１１は徐々に床面から離れる。
【００２１】
さらに扉１を開くと制御カム２３の半径はさらに小さくなるので、板ばね１３を介して昇降体１２はさらに上昇し、扉を９０度開くと、接触子１６は制御カム２３の最小半径部分に対応するので、昇降体１２は上昇限に達する。扉１を開放位置から閉鎖すると、上述と逆の工程でふたたびシール部材で下部の間隙を閉鎖することができる、
【００２２】
下チリの調整を行うには、扉１が閉鎖状態のとき、シール部材１１と床面４３間に隙間がある場合は、扉１の戸先側小口２６側からストップ板２８の調整孔４２にドライバー等の工具を差し込んで調整片４０を介して調整ナット２９を回転する。このときの回転方向は、調整ロッド３０が吊元側３に移動する方向に回転させる。調整ロッド３０の移動により戸先側スライダー９と吊元側スライダー８の距離が短くなるが、戸先側スライダー９に連結している板ばね１３は、該戸先側スライダー８と昇降体１２の連結ピン１４までの距離が変わらないので、結果として板ばね１３は昇降体１２を押し下げることになり、シール部材１１を床面４３に密着させる方向に調整することができる。
【００２３】
扉１が閉鎖する前にシール部材１１が床面４３に密着してしまう場合は、調整ロッド３０が戸先側４に移動する方向に上記調整ナット２９を回転させる。この移動により吊元側スライダー８と戸先側スライダー９間の距離は長くなるが、戸先側スライダー９に連結している板ばね１３の長さは、該戸先側スライダー９から昇降体１２に連結している連結ピン１４までの長さが変わらないので、結果として板ばね１３は昇降体１２を引き上げることになり、シール部材１１を床面４３から離れる方向に調整すことができる。
【符号の説明】
【００２４】
１    扉
２    フロアヒンジ
６    ケース
８    吊元側スライダー
９    戸先側スライダー
１１  シール部材
１２  昇降体
１３  板ばね
１５  カム軸
１６  接触子
１７  上部軸受
１８  上部軸受ホルダー
１９  下部軸受
２０  下部軸受ホルダー
２３  制御カム
２７  長さ調整機構
２８  ストップ板
２９  調整ナット
３０  調整ロッド
３３  ロック片
３４  圧縮ばね
４０  調整片
【図１】
2018178440.tif 000003
【図２】
2018178440.tif 000004
【図３】
2018178440.tif 000005
【図４】
2018178440.tif 000006
【図５】
2018178440.tif 000007
【図６】
2018178440.tif 000008
【図７】
2018178440.tif 000009
【図８】
2018178440.tif 000010
【図９】
2018178440.tif 000011
【図１０】
2018178440.tif 000012